(57)【要約】【課題】  シガーライターソケットに接続してソケットの増設を可能とし、かつ操作ボタンやノブの操作を妨害しないシガーライターソケット増設ソケットを提供すること。【解決手段】  シガーライターソケット増設ソケット１は、複数のソケット５１、５２を備えた本体２と、車両等のセンターコンソール周辺に装着される台座部３と、車両等のシガーライターソケットに接続するプラグ６と、該プラグ６と本体２を接続するプラグ用接続コード７とを備え、該本体２は、台座部３によって、該台座部３と略垂直な面に沿って回動可能に支持されるとともに該台座部３に対し略水平に回転可能に支持されている。【選択図】  図１
2006107768.tif 000002
【特許請求の範囲】
【請求項１】
複数のソケット口を備えた本体と、車両等のセンターコンソールの周辺に装着される台座部と、車両等のシガーライターソケットに接続するプラグと、該プラグと前記本体を接続するプラグ用接続コードとを備え、前記本体は、前記台座部によって、該台座部と略垂直方向の面に沿って回動可能に支持されるとともに該台座部に対し略水平方向に回転可能に支持されていることを特徴とするシガーライターソケット増設ソケット。
【請求項２】
前記本体の前記台座部に対する回動及び回転は、ラチェット機構により前記台座部に対して任意の回動角及び回転角で保持されるように構成されている請求項１記載のシガーライターソケット増設ソケット。
【請求項３】
前記本体の前記台座部に対する回動及び回転は、ボールジョイント機構により前記台座部に対して任意の回動角及び回転角で保持されるように構成されている請求項１記載のシガーライターソケット増設ソケット。
【請求項４】
前記プラグ用接続コードは、前記本体の側面部であって、前記本体の回動動作に支障の無い部分に接続されている請求項１記載のシガーライターソケット増設ソケット。
【請求項５】
前記本体は、内部にＬＥＤ等の照明手段を備えるとともに、少なくともソケット周囲に透明又は半透明の部分を備え、当該部分を自照可能に構成されている請求項１記載のシガーライターソケット増設ソケット。
【発明の詳細な説明】
【技術分野】
【０００１】
本発明は、車両等に用いられているシガーライターソケットの増設ソケットに関し、特に、シガーライターソケットに接続して用いるシガーライターソケット増設ソケットに関する。
【背景技術】
【０００２】
従来のシガーライターソケットは、車両等のセンターコンソールに設けられており、通常、そのソケット数は１個である。このため、シガーライターソケットから電源供給を受けることができる機器は１つに限定される。その一方、近年、携帯電話の充電器や室内用マップライトなどシガーライターソケットから電源供給を受けることが可能な電気機器が増加しているため、シガーライターソケットの増設が求められている。
【発明の開示】
【発明が解決しようとする課題】
【０００３】
センターコンソールに設けられているシガーライターソケットの個数を増設することができれば、そのようなシガーライターソケットの増設の要求に応えることができる。しかし、車両等のセンターコンソールの面積は限られているため、容易にシガーライターソケットを増設することは困難である。
【０００４】
また、センターコンソールには、車両等の操作に必要な操作ボタンやノブ等が配設されているため、シガーライターソケットを増設しても、機器と接続するための電源供給用のコードが邪魔になり、操作ボタンやノブの操作が行い難くなるという問題がある。
【０００５】
本発明は以上のような問題に鑑みなされたもので、シガーライターソケットに接続してシガーライターソケットの増設を可能とし、かつ操作ボタンやノブの操作を妨害しないシガーライターソケット増設ソケットを提供することを目的とする。
【課題を解決するための手段】
【０００６】
本発明に係るシガーライターソケット用増設ソケットは、複数のソケット口を備えた本体と、車両等のセンターコンソール周辺に装着される台座部と、車両等のシガーライターソケットに接続するプラグと、該プラグと前記本体を接続するプラグ用接続コードとを備え、前記本体は、前記台座部によって、該台座部と略垂直方向の面に沿って回動可能に支持されるとともに該台座部に対し略水平方向に回転可能に支持されていることを特徴とする。
【０００７】
本発明のシガーライターソケット増設ソケットは、元々備わっているシガーライターソケットに接続してソケットの増設を可能とし、かつ台座部をセンターコンソール周辺の任意の位置に装着して、本体の回動及び回転角度調整を自由かつ容易に行うことができるため、接続コード類が操作ボタンやノブの操作を妨害することを回避することができる。
【０００８】
また、前記本体の前記台座部に対する回動及び回転は、ラチェット機構やボールジョイント機構により前記台座部に対して任意の回動角及び回転角で保持されるように構成することが好ましい。このように構成することにより、使用し易い状態で機器側のプラグを装着でき、また機器への電源供給用のコードのとり回しも容易に行える。
【０００９】
また、前記プラグ用接続コードは、前記本体の側面部であって、前記本体の回動動作に支障の無い部分に接続されていることが望ましい。このように構成することにより、本体の回動および回転によるプラグ用接続コードのねじれや折れ曲がりを防ぐことが可能となる。
【００１０】
また、前記本体は内部にＬＥＤ等の照明手段を備えるとともに、少なくともソケット周囲に透明又は半透明の部分を備え、当該部分を自照可能に構成することが好ましい。このように構成することにより、夜間においても本体のソケット位置を容易に確認することができる。
【発明を実施するための最良の形態】
【００１１】
以下、本発明のシガーライターソケットを添付図面に示す好適な実施形態に基づいて詳細に説明する。
【００１２】
図１は、本実施形態のシガーライターソケット用増設ソケットの斜視図である。このシガーライターソケット増設ソケット１は、本体２と、台座部３と、プラグ６と、プラグ用接続コード７と、本体２の正面に設けた２つのソケット５１、５２とを備えている。なお、プラグ６は、車両等のシガーライターソケット（図示せず）に接続され、ソケット５１、５２には増設ソケット１から電源供給を受ける電気機器（図示せず）のシガーライター用プラグ８が接続される。
【００１３】
図２に示すように、本体２は、合成樹脂製の上部カバー２１と、半透明合成樹脂製の上部電極ホルダ２２と、金属製の２つの筒状体からなるマイナス電極２３と、半透明合成樹脂製の下部電極ホルダ２４と、合成樹脂製の下部カバー２５とを備えている。これらの部材は、上部カバー２１から下部カバー２５までを順に重ね合わせた上、ネジにより結合される。なお、この場合、上部電極ホルダ２２と、マイナス電極２３と、下部電極ホルダ２４だけを一体にネジで結合し、上部カバー２１と下部カバー２５とをそれらの結合体を内部に収容した状態でフックなどにより結合させることも可能である。そのようにすれば、外部にネジが露出することがなく、本体２の美観を向上させることができる。
【００１４】
また、この本体２の内部には、組立て完成時においてマイナス電極２３の奥に配設される金属板であるプラス電極２６と、発光ダイオード（ＬＥＤ）２７が設けられている。上記マイナス電極２３とプラス電極２６は、プラグ用接続コード７の導線とそれぞれ接続されている。また、発光ダイオード２７のリード線は、マイナス電極２３とプラス電極２６にそれぞれ接続されている。
【００１５】
図２に示すように、台座部３は、合成樹脂製の円盤体３１と、円盤体３１から略垂直に立設した支持体３３、３４と、合成樹脂製の台座３７と、台座３７の裏面に貼着される厚手の両面テープ４０とを備えている。なお、符号４１は出荷の際に貼られている両面テープ４０の剥離シートである。
【００１６】
支持体３３、３４の各外側側面には回動軸３６、３６が設けられており、この回動軸３６、３６は、下部カバー２５内部に設けられている軸孔（図示せず）に挿通され、本体２を台座部３に対し該台座部と略垂直な面に沿ってほぼ９０度の角度に亘って回動可能に支持する（図３参照）。また、支持体３３、３４の頂部に設けられた半円状のラチェットホイール３５、３５は、上部カバー２１内部に設けられるとともにスプリング２８により下方に向かって押圧されているラチェット止め２９と噛合することにより、本体２の台座部３に対する回動動作のラチェットを構成している。これにより、前記９０度の回動角度の任意の位置で、本体２の台座部３に対する回動角度を保持できるようになっている。
【００１７】
円盤体３１は、リング３８とを介し、ネジ３９によって回転可能に台座３７へ螺着されている。この円盤体３１の底面には２つのラチェット止め３２が設けられており、台座３７の上面に設けた凹部（図示せず）と噛合することにより、本体２の台座部３に対する略水平方向の回転動作に対するラチェットを構成している。これにより、本体２の台座部３に対する略水平方向における回転角度を任意の位置で保持できるようになっている。
【００１８】
なお、プラグ用接続コード７は、本体２の側面部であって、本体２の回動および回転動作に支障の無い部分に接続されている。
【００１９】
次に、本実施形態の作用効果を説明する。
このシガーライターソケット増設ソケット１の各マイナス電極２３とプラス電極２６は並列に接続されているため、ソケット５１と５２が増設ソケットとして機能する。
【００２０】
支持体３３、３４のラチェットホイール３５、３５とラチェット止め２９により、本体２は台座部３に対して該台座部３と略垂直方向の面に沿って約９０度回動可能であるとともに、本体２を任意の回動角度で保持することができる（図３参照）。
【００２１】
また、円盤体３１のラチェット止め３２と台座３７上面の凹部により、本体２は台座部３に対して略水平方向に３６０度回転可能であると共に、本体２を任意の水平方向における回転角度で保持することができる（図４参照）。
【００２２】
さらに、両面テープ４０を用いて車両等のセンターコンソール周辺（図示せず）の表面に台座３７を貼着することができる。両面テープ４０を用いることにより、センターコンソール周辺の水平面、垂直面を問わずこのシガーライターソケット増設ソケット１を容易に装着することができる。
【００２３】
さらに、上述したように本体２が台座部３に対して回動及回転可能であるため、台座部３の設置角度に制限されることなく本体２の角度を適切に設定することができる。このため、センターコンソールやダッシュボードの操作ボタンやノブの操作を妨害しないように電気機器の電源供給用コードのとり回しを容易に行うことができる。
【００２４】
さらに、プラグ接続コード７は、本体２の側面部であって、本体の回動動作に支障の無い部分に接続されているため（図１参照）、本体２の垂直回動及び水平回転に伴うプラグ接続コード７のねじれや折れ曲がりを防ぐことができ、過度の本体２の回動及び回転運動による当該コード７の断線を未然に防止することができる。
【００２５】
発光ダイオード２７はプラグ６が車両等のシガーライターソケットに接続されると発光し、ソケット５１、５２の周囲や本体２の側部に露出した上部電極ホルダ２２及び下部電極ホルダ２４を自照させることができる。このため、夜間においてもソケット５１、５２の位置を容易に確認することができる。
【００２６】
本実施形態は２口ソケットの構造を備えているが、図５に示す他の実施形態のように３口ソケットにすることも可能であり、このように必要に応じてソケット口の個数を増加させることが可能である。
【００２７】
さらに、本実施形態においてはラチェットを用いることにより任意の角度で本体２を保持するように構成したが、本体２の支持構造はラチェットに限定されない。例えば、本体２の支持にボールジョイント等を用い、そのジョイント部の摩擦力により本体２を任意の角度で保持するように構成することも可能である。
【図面の簡単な説明】
【００２８】
【図１】本発明に係る実施形態のシガーライターソケット増設ソケット１の使用状態を示す斜視図である。
【図２】図１に示すシガーライターソケット増設ソケット１の分解斜視図である。
【図３】図１に示すシガーライターソケット増設ソケット１の本体２を台座３７に対して垂直方向にほぼ９０度回動した状態を示す説明図である。
【図４】図１に示すシガーライターソケット増設ソケット１の本体２を台座３７に対して水平方向に回転した状態を示す説明図である。
【図５】本発明に係る実施形態のシガーライターソケット増設ソケットの他の実施形態を示す斜視図である。この実施形態はソケットを３口備えている。
【符号の説明】
【００２９】
１  シガーライターソケット増設ソケット
２  本体
２１  上部カバー
２２  上部電極ホルダ
２３  マイナス電極
２４  下部電極ホルダ
２５  下部カバー
２６  マイナス電極
２７  発光ダイオード
２８  スプリング
２９  ラチェット止め
３  台座部
３１  円盤体
３２  ラチェット止め
３３、３４  支持体
３５  ラチェットホイール
３６  回動軸
３７  台座
３８  リング
３９  ネジ
４０  両面テープ
４１  剥離シート
５１、５２  ソケット
６  プラグ
７  プラグ用接続コード
８  シガーライター用プラグ
【図１】
2006107768.tif 000003
【図２】
2006107768.tif 000004
【図３】
2006107768.tif 000005
【図４】
2006107768.tif 000006
【図５】
2006107768.tif 000007